(57)【要約】      （修正有）【課題】通気耐磨耗シャトル織りアッパーを有する靴構造を提供する。【解決手段】靴底構造１０と、通気耐磨耗シャトル織りアッパー２０とを備える。通気耐磨耗シャトル織りアッパー２０は、二層構造を有するシャトル織物であり、靴底構造１０上に取り付けられて靴構造を形成する。通気耐磨耗シャトル織りアッパー２０は、組織模様及び孔設計に従って二頭型ジャガードシャトル織機を用いて織り上げて、複数のトライアングル綜絖素子とジャガード機とのコンビネーションを用いて経糸を相対的に引き上げ又はシフトさせることにより、第１経糸、第２経糸及び複数の緯糸によって斜め立体クロス織で織られた複数の換気孔６２を形成する。【選択図】図２
0003199763.tif 000002
【実用新案登録請求の範囲】
【請求項１】
通気耐磨耗シャトル織りアッパーを有する靴構造であって、
靴底構造と、
通気耐磨耗シャトル織りアッパーと、
を備え、
前記通気耐磨耗シャトル織りアッパーは、二層構造を有するシャトル織物であり、前記靴底構造上に取り付けられて前記靴構造を形成し、前記通気耐磨耗シャトル織りアッパーは、組織模様及び孔設計に従って二頭型ジャガードシャトル織機を用いて織り上げられ、且つ第１経糸、第２経糸及び複数の緯糸によって斜め立体クロス織で織られた複数の換気孔を形成することを特徴とする、通気耐磨耗シャトル織りアッパーを有する靴構造。
【請求項２】
前記二頭型ジャガードシャトル織機は、二つの経糸給糸ローラーと、ジャガード機と、複数のトライアングル綜絖素子と、複数の緯糸給糸手段とを備えることを特徴とする、請求項１に記載の靴構造。
【請求項３】
前記複数のトライアングル綜絖素子と前記ジャガード機とのコンビネーションを用いて、前記孔設計に従って前記第１経糸及び前記第２経糸を相対的に引き上げ又はシフトさせることを特徴とする、請求項２に記載の靴構造。
【請求項４】
前記二頭型ジャガードシャトル織機は、異なる線径の前記第１経糸又は前記第２経糸を提供することにより、前記通気耐磨耗シャトル織りアッパーの耐磨耗性を向上させることを特徴とする、請求項１に記載の靴構造。
【請求項５】
前記二層構造は、同じ構造又は異なる構造であることを特徴とする、請求項１に記載の靴構造。
【請求項６】
前記第１経糸と、前記第２経糸と、前記複数の緯糸との糸種類は、弾性繊維糸、撚糸又はその組み合わせであることを特徴とする、請求項１に記載の靴構造。
【請求項７】
前記糸種類が弾性繊維糸である場合、前記第１経糸の線径が１５０〜１２００デニールであり、前記第２経糸の線径が１００〜１２００デニールであり、前記複数の緯糸の線径が１００〜１２００デニールであることを特徴とする、請求項６に記載の靴構造。
【請求項８】
前記糸種類が撚糸である場合、前記第１経糸の線径が１５０〜１２００デニールであり、前記第２経糸の線径が１００〜１２００デニールであり、前記複数の緯糸の線径が１００〜１２００デニールであることを特徴とする、請求項６に記載の靴構造。
【考案の詳細な説明】
【技術分野】
【０００１】
本考案は、通気耐磨耗シャトル織りアッパー之靴構造に関するものであり、二頭型ジャガードシャトル織機の二つの経糸給糸ローラーから送られた異なる糸種類又は線径の経糸によって、クロス織で内層と外層が異なる構造にした通気耐磨耗シャトル織りアッパーを形成し、それを靴底と取り付けて靴構造を構成する。
【背景技術】
【０００２】
従来の靴構造は、靴底構造と、アッパーとを備えている。靴の用途によって、異なる材料でアッパーが製造されている。例えば、運動靴のアッパーは様々な材料で製造することができる。その様々な材料は、様々な特性（引張耐性、耐磨耗性、快適性、通気性、圧縮可能性及び吸汗速乾性を含む）に基づいて選択することができる。
【０００３】
一枚式の織りアッパー布生地は、アッパーの製造に広く応用されているが、一般では主にニット織りで製造されている。しかし、ニット織りで製造されたアッパー布生地では、以下の短所がある。例えば、１、使用可能な糸素材及び仕様が限られているので、アッパーの模様デザインにも制限される。２、アッパーの磨耗性及び布の引張強度の要求を満たすには、数少ない種類の材料及び仕様しか応用できなくなり、又は強化工程の追加が必要になる。３、ニット布は、ほとんどが単色の後染め布であるため、多色の糸で織れば生産速度が低下することになる。４、織り上げられたニット布は伸縮性を有するため、後に続く二次工程が煩雑になって、コストが増加することになる。
【０００４】
ニット布と織り布の相違点は、織り物において糸の形態が違うことである。織り布は、経緯方向の糸を直角織で形成された布である。ニット布に対して、織り製法によって織られたアッパー布生地は、複数の長所がある、例えば、１、織り布は、組織模様によって様々の模様をデザインすることができることで、アッパーデザインの自由度が高く、立体又はデリケート等の様々なスタイルを持つことができる。２、織り布は、適切な糸素材を選ぶことができることで、耐磨耗性、引張強度及びフィット性などの機能性に優れる。３、選択できる糸の種類が多いことで、布の色の選択が豊かになる。
【０００５】
しかし、従来のシャトル織機では、たった一つの経糸給糸ローラーによって単一種類又は線径の経糸を送るため、現在のアッパー布生地は、単層の布生地しか織り上げられなく、異なる素材の二層の布生地を生産すれば、単層の布生地を二枚縫い合わせる又は単層の布生地上に二次工程を行う必要があり、時間がかかるだけでなく、歩留りを確実に管理することもできない。
【０００６】
上述したように、本考案の考案者等は、産業上の利用を促進するために、業界で長年の経験に基づいて鋭意研究を行った末、通気耐磨耗シャトル織りアッパーを有する靴構造を創出した。
【考案の開示】
【考案が解決しようとする課題】
【０００７】
上記従来の問題点に鑑みて、本考案は、通気耐磨耗シャトル織りアッパーを有する靴構造を提供を目的とし、シャトル織りの技術によって直接アッパー布生地を織り上げ、即ち、二頭型ジャガードシャトル織機によってそれぞれ異なる糸種類又は線径の第１経糸及び第２経糸を送り出して、クロス織で機能性シャトル織りアッパー布生地を織り上げることができ、一体形成のシャトル織り工程によって従来アッパーの各部材を繋ぎ合わせるための時間と工程を短縮することができる。
【０００８】
上記従来の問題点に鑑みて、本考案は、通気耐磨耗シャトル織りアッパーを有する靴構造を提供を目的とし、第１経糸、第２経糸及び複数の緯糸を用いてクロス織で織り上げることで、従来シャトル織機が経糸及び緯糸のクロス織り方法に制限されて、単一工程で異なる厚さの触感と、布生地の内層と外層が異なる構造とを有する織り布を織り上げることができない問題を解決する。
【０００９】
上記従来の問題点に鑑みて、本考案は、通気耐磨耗シャトル織りアッパーを有する靴構造を提供を目的とし、複数のトライアングル綜絖素子と、ジャガード機とを用いて孔設計に従って、第１経糸及び第２経糸を相対的に引き上げ又はシフトさせると共に、複数の緯糸によって斜め立体クロス織で織られた複数の換気孔を形成することで、従来アッパーと比べて通気性に優れる。
【課題を解決するための手段】
【００１０】
上述した目的により、通気耐磨耗シャトル織りアッパーを有する靴構造を提供する。その靴構造は、靴底構造と、通気耐磨耗シャトル織りアッパーとを備える。通気耐磨耗シャトル織りアッパーは、二層構造を有するシャトル織物であり、靴底構造上に取り付けられて靴構造を形成し、通気耐磨耗シャトル織りアッパーは組織模様及び孔設計に従って二頭型ジャガードシャトル織機を用いて織り上げられ、且つ第１経糸、第２経糸及び複数の緯糸によって斜め立体クロス織で織られた複数の換気孔を形成する。
【００１１】
より好ましくは、二頭型ジャガードシャトル織機は、二つの経糸給糸ローラーと、ジャガード機と、複数のトライアングル綜絖素子と、複数の緯糸給糸手段とを備える。
【００１２】
より好ましくは、複数のトライアングル綜絖素子とジャガード機とのコンビネーションを用いて孔設計に従って、第１経糸及び第２経糸を相対的に引き上げ又はシフトさせる。
【００１３】
より好ましくは、二頭型ジャガードシャトル織機は、異なる線径の第１経糸又は第２経糸を提供することにより、通気耐磨耗シャトル織りアッパーの耐磨耗性を向上させる。
【００１４】
より好ましくは、二層構造は、同じ構造又は異なる構造である。
【００１５】
より好ましくは、第１経糸と、第２経糸と、複数の緯糸との糸種類は、弾性繊維糸、撚糸又はその組み合わせである。
【００１６】
より好ましくは、糸種類が弾性繊維糸である場合、第１経糸の線径が１５０〜１２００デニールであり、第２経糸の線径が１００〜１２００デニールであり、複数の緯糸の線径が１００〜１２００デニールである。
【００１７】
より好ましくは、糸種類が撚糸である場合、第１経糸の線径が１５０〜１２００デニールであり、第２経糸の線径が１００〜１２００デニールであり、複数の緯糸の線径が１００〜１２００デニールである。
【考案の効果】
【００１８】
本考案は、通気耐磨耗シャトル織りアッパーを有する靴構造を提供し、その通気耐磨耗シャトル織りアッパーは、以下に示す複数の長所を有する。
【００１９】
（１）二層構造：異なる線径の経糸及び緯糸を用いて、組織模様に従って内層と外層が同じ又は異なる構造の布生地が織り上げられる。
【００２０】
（２）立体柄：異なる糸種類及び線径を有する経糸と緯糸との交差配置によって、シャトル織りアッパー布生地が異なる厚さ及び立体柄を有することができ、且つ細い線径の糸を用いて複雑な柄模様を織り出すことができる。
【００２１】
（３）耐磨耗性に優れる：組織模様に従って異なる線径の糸を用いて織られることで、高強度を提供する太い線径の糸を用いて、布生地の耐磨耗性を向上させることができる。
【００２２】
（４）通気性に優れる：組織模様及び孔設計に従って第１経糸、第２経糸及び複数の緯糸を斜め立体クロス織で織られた複数の換気孔を形成することによって、通気性を向上して熱が放出されやすいことで、足に熱がこもる不快感を解決することができる。
【００２３】
（５）速乾性に優れる：アッパーにある複数の換気孔によって、洗濯又は水気で湿気が靴構造内に溜まることが防止されることで、使用寿命を延ばすことができる。
【００２４】
（６）コストを減らす：一枚式の織りアッパー布生地の特性が、従来ニットアッパー布生地と比べて大量生産に適するため、本考案に係る通気耐磨耗シャトル織りアッパーを工場で実施した場合、簡単な切断工程が終わればすぐに靴底と組み合わせて靴を完成させることができることで、縫製人力を大幅に減らす且つ靴の生産時間を短縮させることでコストダウンできる。よって、工場生産ラインの設置コストと、製品及び半製品の在庫コストと、人員コストと、工場の空間コスト等の工程コストを大幅に減らすことができることで、その分商品価格が安くなって消費者の利益になる。
【００２５】
上述した目的、技術的特徴および実際に実施した効果についてより理解しやすくするために、添付の図面を参照しながら、以下の好ましい実施例をもって詳細に説明する。
【図面の簡単な説明】
【００２６】
本考案の上述及び他の特徴及び長所は、以下の図面を参照しながら詳細に説明することにより、例示的な実施例をよりよく理解することができる。
【図１】本考案に係る通気耐磨耗シャトル織りアッパーの概略図である。
【図２】本考案に係る靴構造の概略図である。
【考案を実施するための最良の形態】
【００２７】
本考案をより完全に理解するために、本考案の技術特徴、内容と長所及びそれが達成できる作用効果については、添付図面を参照して、実施例の表現形式で以下のように詳細に説明される。しかし、図示された図面は、単に例示または明細書内容を補助する目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００２８】
本考案の長所、特徴及び達成するための技術方法を理解するために、例示的な実施例及び図面を参照して詳細に説明する。なお、本考案は異なる形態で具現されることができ、ここに記載される実施例に限定するように解釈されるべきではない。むしろ、提供された実施例は、本開示が完全なものとなるように、また当業者に本考案の範囲を完全に伝えるために提供されるものである。よって、本考案は、添付の実用新案登録請求の範囲によって定義されるものである。
【００２９】
まず、図１を参照して説明する。図１は、本考案に係る通気耐磨耗シャトル織りアッパーの概略図である。図１に示すように、通気耐磨耗シャトル織りアッパー２０は、複数の換気孔６２と、複数のアイレット６３を備える。本実施においては、換気孔６２のサイズ及び分布状態は孔設計に従って適切に配置することができるので、図示した実施例は例示にすぎず、これらに限定されない。
【００３０】
通気耐磨耗シャトル織りアッパー２０は、需要に応じる組織模様に従って二頭型ジャガードシャトル織機を用いて織り上げて生産する。アッパーの組織模様においては、ジャガード、パターン又はブランドロゴ等の模様を付けることができる。また、二頭型ジャガードシャトル織機は、二つの経糸給糸ローラーと、ジャガード機と、複数のトライアングル綜絖素子と、複数の緯糸給糸手段とを備える。
【００３１】
二頭型ジャガードシャトル織機は、二つの経糸給糸ローラーによってそれぞれ送られた第１経糸及び第２経糸と、複数の緯糸給糸手段によって送られた複数の緯糸とを用いてクロス織を行う。異なる糸種類又は線径を組み合わせることで、単一工程で異なる様式又は色のシャトル織りアッパー布生地を生産することができ、即ち、通気耐磨耗シャトル織りアッパー２０の内層及び外層の構造は、実際の需要に応じて同じ構造又は異なる構造にすることができ、二次工程に要する時間とコストを減らすことができる。
【００３２】
さらに、太い線径の糸によって布生地の耐磨耗性を効果的に向上させることができる。本実施において使用された糸は、撚糸又は糊付け等の強化工程で糸の引張強度及び耐磨耗性を向上させることができる。
【００３３】
また、複数のトライアングル綜絖素子とジャガード機とのコンビネーションを用いて、組織模様及び孔設計に従って第１経糸及び第２経糸を相対的に引き上げ又はシフトさせて、複数の緯糸とともに斜め立体クロス織で織られた複数の換気孔６２を形成する。よって、アッパーの通気性を向上して熱が放出されやすいことで、足に熱がこもる不快感を解決することができる。
【００３４】
さらに、第１経糸及び第２経糸の糸素材又は線径の違いによって、単一工程で通気耐磨耗シャトル織りアッパー２０を製造することができる。また、第１経糸と、第２経糸と、複数の緯糸との糸種類は、弾性繊維糸、撚糸又はその組み合わせである。
【００３５】
糸種類が弾性繊維糸である場合、糸は伸縮性により変形してしまうことがあるので、生産過程において、糸巻き軸の巻き取り速度を適切に調整して、アッパーの模様の変形を防止する及びより好ましい布生地の生産速度を維持するように、トルクコントローラを設置する必要がある。
【００３６】
本実施においては、糸種類が弾性繊維糸である場合、第１経糸の線径が１５０〜１２００デニールであり、第２経糸の線径が１００〜１２００デニールであり、複数の緯糸の線径が１００〜１２００デニールである。
【００３７】
本実施においては、糸種類が撚糸である場合、第１経糸の線径が１５０〜１２００デニールであり、第２経糸の線径が１００〜１２００デニールであり、複数の緯糸の線径が１００〜１２００デニールである。
【００３８】
図２を参照して説明する。図２は、本考案に係る靴構造の概略図である。図２に示すように、靴構造６１は、通気耐磨耗シャトル織りアッパー２０と靴底構造１０を備える。通気耐磨耗シャトル織りアッパー２０は縫い合わせ、接ぎ合わせ又は接着等の様々な方式で靴底構造１０上に取り付けられて靴構造６１を形成することができる。また、通気耐磨耗シャトル織りアッパー２０は、図１において詳細に説明したため、ここでの説明を省略する。
【００３９】
通気耐磨耗シャトル織りアッパー２０は、二頭型ジャガードシャトル織機によって織り上げられた後、アッパーの模様の輪郭に沿って切り取って靴底構造１０上に取り付けられて靴構造６１を形成する。本実施においては、通気耐磨耗シャトル織りアッパー２０は切断金型、カット又はレーザー切断によって切り取ることができる。
【００４０】
本考案の通気耐磨耗シャトル織りアッパーは、二頭型ジャガードシャトル織機によって織り上げられ、即ち、異なる線径の経糸及び緯糸を用いて、組織模様に従って単一工程で異なる厚さの触感と布生地の内層と外層が異なる構造とを有する布生地を織り上げることができる。
【００４１】
さらに、需要に応じて様々な機能性の構造をデサインすることができる。例えば、アッパーの外層構造は、摩擦による損傷を防止するように高い耐磨耗性が必要であるため、太い線径の糸種類を用いて耐磨耗性を向上させることが好ましい。また、内層構造は、使用者の足と接触するため、触感の良さが要求されるので、細い線径の糸種類を用いて柔軟性を維持することが好ましい。
【００４２】
上述したものは、単に例示的なものであって、本考案を限定するためのものではない。本考案の範囲及び趣旨を逸脱することなく均等範囲内における変更及び修正は、いずれも添付の実用新案登録請求の範囲で扱うものとする。
【符号の説明】
【００４３】
１０：靴底構造
２０：通気耐磨耗シャトル織りアッパー
６１：靴構造
６２：換気孔
６３：アイレット
【図１】
0003199763.tif 000003
【図２】
0003199763.tif 000004